(57)【要約】【課題】  様々な液晶表示器を搭載した製品ラインナップを簡略な構成で実現可能な電子機器を提供する。【解決手段】コピーファクシミリ複合機１０は、ＭＰＵ１１と、このＭＰＵ１１と通信するためのＵＳＢインタフェース２７を備える。ＭＰＵ１１は、複合機１０が標準のモノクロＬＣＤ仕様である場合、当該モノクロＬＣＤを制御可能に構成されている。このコピーファクシミリ複合機１０は、カラーＬＣＤ仕様とするために、カラーＬＣＤ３８を制御するサブシステム６０をＵＳＢインタフェース２７に接続することができる。ＭＰＵ１１は、前記サブシステム６０がＵＳＢインタフェース２７に接続された場合には、当該ＵＳＢインタフェース２７を介してサブシステム６０と通信する。【選択図】図２
2009116178.tif 000002
【特許請求の範囲】
【請求項１】
モノクロ液晶表示器である第１の液晶表示器を制御可能な第１の制御部と、
前記第１の制御部と通信するためのインタフェースと、
を備え、
前記第１の制御部は、第２の液晶表示器を制御する第２の制御部が前記インタフェースに接続された場合には、当該インタフェースを介して前記第２の制御部と通信することを特徴とする電子機器。
【請求項２】
請求項１に記載の電子機器であって、
前記第２の液晶表示器はカラー液晶表示器であることを特徴とする電子機器。
【請求項３】
請求項１又は２に記載の電子機器であって、
前記インタフェースはシリアルインタフェースであることを特徴とする電子機器。
【請求項４】
請求項１から３までの何れか一項に記載の電子機器であって、
前記第１の制御部は、前記第２の制御部に接続される操作部の操作内容を前記第２の制御部と通信して取得可能に構成されることを特徴とする電子機器。
【請求項５】
請求項１から４までの何れか一項に記載の電子機器としての画像処理装置。
【発明の詳細な説明】
【技術分野】
【０００１】
本発明は液晶表示器を備えた電子機器に関するものであり、詳細には、機種グレード等に応じて液晶表示器の変更が容易な電子機器に関するものである。
【背景技術】
【０００２】
従来から、液晶表示器をモノクロとカラーとで選択して備えることが可能な電子機器が知られている。この構成の電子機器は、液晶表示器の種類を変更することによって、ユーザが求めるグレードに幅広く対応可能な製品ラインナップを容易に展開できる。また、液晶表示器及びその制御部以外の構成を共通とすることによって、製品開発期間を短縮できるとともに製造コストを抑えることができる。更に、将来の機種展開及び仕様変更についても柔軟に対応することができる。
【０００３】
モノクロ液晶表示器かカラー液晶表示器かを選択できるように構成される電子機器を開示するものとして、特許文献１及び特許文献２がある。特許文献１には、カラーＬＣＤを装着されることを前提に回路を構成し、モノクロＬＣＤを装着する場合には、カラーＬＣＤのためのゲートアレイを取り除き、このゲートアレイに接続した端子をプルアップする技術が開示されている。また、特許文献２が開示するコンピュータは、カラー表示、モノクロ表示何れにも対応できるビデオ回路部を備えており、コネクタに挿されたＬＣＤがカラーかモノクロかを判別してカラー表示制御若しくはモノクロ表示制御を行う。
【特許文献１】特開平５−９４２７７号公報
【特許文献２】特開平６−８３５６６号公報
【発明の開示】
【発明が解決しようとする課題】
【０００４】
上記特許文献に示すようなモノクロ液晶表示器及びカラー液晶表示器を選択できる電子機器においては、カラー表示を制御するためのハードウェアを備えている必要がある。カラー液晶表示器はモノクロ表示器に比べて扱うデータ量が多いため、カラー表示のためのハードウェア回路の構成は複雑で高価なものとなり易い。一方、モノクロ液晶表示器を装着する場合は、カラー表示のためのハードウェアが意味をなさないことになる。
【０００５】
この点、特許文献１及び特許文献２は、何れもカラー表示を制御するためのハードウェアを備えている構成であり、回路構成の単純化とコスト削減の観点から改善の余地があった。
【０００６】
本発明は以上の事情に鑑みてなされたものであり、その目的は、搭載する液晶表示器の種類（モノクロ／カラー等）を様々に異ならせた製品ラインナップを簡単に構成できるとともに、回路の構成を簡略化し、コスト削減を実現できる電子機器を提供することにある。
【課題を解決するための手段及び効果】
【０００７】
本発明の解決しようとする課題は以上の如くであり、次にこの課題を解決するための手段とその効果を説明する。
【０００８】
本発明の第１の観点によれば、以下の構成の電子機器が提供される。即ち、この電子機器は、モノクロ液晶表示器である第１の液晶表示器を制御可能な第１の制御部と、前記第１の制御部と通信するためのインタフェースと、を備える。前記第１の制御部は、第２の液晶表示器を制御する第２の制御部が前記インタフェースに接続された場合には、当該インタフェースを介して前記第２の制御部と通信する。
【０００９】
これにより、第１の液晶表示器と異なる第２の液晶表示器が電子機器に接続された場合でも、第２の制御部が第１の制御部と通信して第２の液晶表示器を制御できる。また、第２の制御部が第２の液晶表示器の制御を行うので、第１の制御部の負荷が軽減される。従って、第１の制御部の構成を簡略化でき、コストを削減できるとともに、各種の液晶表示器に対応する電子機器を提供できる。
【００１０】
前記の電子機器においては、前記第２の液晶表示器はカラー液晶表示器であることが好ましい。
【００１１】
これにより、データ量の多いカラー液晶表示器に対応することができる。また、第２の制御部がカラー表示の複雑な演算を受け持つので、第１の制御部の構成を簡略化できる。
【００１２】
前記の電子機器においては、前記インタフェースはシリアルインタフェースであることが好ましい。
【００１３】
これにより、ケーブルを細径化し易いシリアルインタフェースで第２の制御部が接続されるので電子機器内の取り回しが行い易く、自由な位置に第２の制御部を配置でき、拡張性の高い構成とすることができる。更に、通信速度が速いシリアルインタフェースを使用するので、第１の制御部と第２の制御部との間で扱うデータ量が多い場合でも、データの内容をスムーズに第２の液晶表示器に表示できる。
【００１４】
前記の電子機器においては、前記第１の制御部は、前記第２の制御部に接続される操作部の操作内容を前記第２の制御部と通信して取得可能に構成されることが好ましい。
【００１５】
これにより、第２の液晶表示器とともに操作部を追加する場合でも、追加された操作部に対する操作内容を第１の制御部が認識して、それに応じた処理を適切に行うことができる。従って、操作部の変更を伴う製品ラインナップを容易に構成することができる。
【００１６】
本発明の第２の観点によれば、前記の電子機器としての画像処理装置が提供される。
【００１７】
これにより、第１の制御部の構成を簡略化できるとともに液晶表示器の交換又は追加に柔軟に対応できる画像処理装置を提供できる。
【発明を実施するための最良の形態】
【００１８】
以下、本発明の好適な実施形態について図面を参照しながら説明する。図１は本発明の一実施形態に係るコピーファクシミリ複合機１０において、モノクロＬＣＤ１８を接続した場合の電気的構成を示すブロック図である。
【００１９】
図１に示すように、本実施形態のコピーファクシミリ複合機（電子機器、画像処理装置）１０は、第１の制御部としてのマイクロプロセッシングユニット（ＭＰＵ）１１と、シンクロナスＤＲＡＭ（ＳＤＲＡＭ）１２と、フラッシュメモリ１３と、を備える。ＭＰＵ１１、ＳＤＲＡＭ１２及びフラッシュメモリ１３は、ローカルバス３０によって相互に接続されている。
【００２０】
ＭＰＵ１１は装置全体を制御する制御部であり、フラッシュメモリ１３に格納される各種プログラムを読み出して実行することによって、後述のファクシミリ機能、スキャン機能及びコピー機能等が実現される。また、前記ＳＤＲＡＭ１２は読込及び書込が可能なメモリであり、このプログラムを実行するワークエリアとして機能する。
【００２１】
また、ローカルバス３０にはスタティックＲＡＭ（ＳＲＡＭ）１４とモデム１５が接続されている。ＳＲＡＭ１４には短縮ダイヤル等の各種のユーザ設定を記憶可能であり、その記憶内容がバッテリによってバックアップされている。モデム１５は音声信号とデータ列とを相互変換する変復調装置としての機能を備えており、ネットワークコントロールユニット（ＮＣＵ）１６に接続されている。ＮＣＵ１６は公衆交換電話網（ＰＳＴＮ）８０へ接続され、相手先と通信することでファクシミリ機能が実現されている。
【００２２】
また、ローカルバス３０には操作パネル１７が接続されている。操作パネル１７は操作の指示を伝達するためのテンキー、方向キー、スタートボタン、及びキャンセルボタン等の各種指定手段を有する。ユーザは、この指定手段を用いてコピー指示、ファクシミリ送信等の操作を行う。
【００２３】
前記ＭＰＵ１１には、モノクロ液晶表示器としてのモノクロＬＣＤ１８が接続されている。このモノクロＬＣＤ１８において、文字及び図形等は黒白（ＯＮ／ＯＦＦ）の２階調で表示される。なお、本実施形態においては、操作パネル１７とモノクロＬＣＤ１８は一体的なユニットとして構成されており、ユニットごと複合機１０に取り付けられる。
【００２４】
前記ＭＰＵ１１にはモノクロＬＣＤ１８を制御するためのＬＣＤコントローラが内蔵されており、このＬＣＤコントローラによってモノクロＬＣＤ１８に文字、記号及び図形等を表示する。
【００２５】
複合機１０はＰＣＩバス４０を備えており、前記ローカルバス３０は、本実施形態の画像処理を行うための集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）５０を介して、前記ＰＣＩバス４０に接続されている。前記ＭＰＵ１１は前記ＡＳＩＣ５０を介して、ＰＣＩバス４０に接続されている各種機器とデータのやり取りを行う。
【００２６】
ＡＳＩＣ５０には、アナログフロントエンド（ＡＦＥ）２４を介して電荷結合素子（ＣＣＤ）２５が接続されている。このＣＣＤ２５は図略の原稿読取部に備えられており、ＣＣＤ２５が読み取った原稿の画像データは、ＡＦＥ２４によってアナログ信号からデジタル信号に変換されてＡＳＩＣ５０に入力される。このＣＣＤ２５は三原色分解のためのカラーフィルタを備えており、カラー原稿を読み取ることが可能に構成されている。
【００２７】
また、ＡＳＩＣ５０には画像メモリとして機能するＳＤＲＡＭ２６が接続されている。このＳＤＲＡＭ２６には、ＡＳＩＣ５０で符号化されたデータ等が格納される。
【００２８】
次にＡＳＩＣ５０について説明する。このＡＳＩＣ５０は、メモリコントロール部２１、画像処理部２２及びコーデック２３等を備えている。またＡＳＩＣ５０は、図略のＡＳＩＣ制御部及びＤＭＡコントローラを備えている。このＡＳＩＣ制御部及びＤＭＡコントローラによって、メモリコントロール部２１、画像処理部２２及びコーデック２３等を制御するとともに、ローカルバス３０とＰＣＩバス４０との間のデータのやり取りを行う。
【００２９】
画像処理部２２は、前述のＣＣＤ２５から入力された画像データに対し、シェーディング補正、γ補正、エッジ強調処理等の画像処理を行う。
【００３０】
メモリコントロール部２１では、画像処理部２２の処理した画像データを受け付けて、印字方向と用紙方向とを合わせるための画像回転処理、いわゆるＮｉｎ１印刷等のための縮小処理等、ユーザ設定に従って様々な処理を行う。
【００３１】
コーデック２３は、ＭＨ、ＭＲ、ＭＭＲ、ＪＰＥＧ等の公知の圧縮形式で画像データを圧縮し、あるいは展開するように構成されている。このコーデック２３は、読み取った原稿の画像データを符号化し、又は、ファクシミリ受信した画像データの復号等を行う。
【００３２】
ＰＣＩバス４０には、プリンタコントローラ１９及びネットワークボード２０等のオプションユニットが接続されている。プリンタコントローラ１９は複合機１０にプリンタ機能を付加し、複合機１０に接続される図略のパーソナルコンピュータ等から受信したページ記述言語（Ｐａｇｅ  Ｄｅｓｃｒｉｐｔｉｏｎ  Ｌａｎｇｕａｇｅ、ＰＤＬ）を解釈してラスターデータを生成し、複合機１０の備える画像形成部から用紙にプリントできるようにするものである。ネットワークボード２０は複合機１０をネットワーク９０に接続可能にするためのものであり、ＴＣＰ／ＩＰプロトコルに従って他の機器との通信を行うことができるように構成される。このプリンタコントローラ１９及びネットワークボード２０によって、ネットワーク９０に接続される図略のパーソナルコンピュータからプリントデータを受信してプリントを行うネットワークプリント機能が実現されている。
【００３３】
ＰＣＩバス４０にはＵＳＢインタフェース（シリアルインタフェース）２７が接続され、このＵＳＢインタフェース２７にはＵＳＢ機器が接続可能に構成されている。ＵＳＢインタフェース２７は図略のＵＳＢホストコントローラを備え、接続されるＵＳＢ機器が備えるファンクションコントローラと通信してＵＳＢ機器を稼動させる。
【００３４】
本実施形態のＵＳＢインタフェース２７はＵＳＢ２．０のＨｉｇｈ  Ｓｐｅｅｄモードに対応しており、このＵＳＢインタフェース２７によって高速な通信を可能にしている。そして、このＵＳＢインタフェース２７には、図２に示すように、後述するサブシステム６０がカラーＬＣＤ３８及び操作パネル３７とともに接続できるように構成される。なお、カラーＬＣＤ３８を接続したカラーＬＣＤ仕様については後述する。
【００３５】
図１のモノクロＬＣＤ仕様の構成で、ＭＰＵ１１に内蔵される前述のＬＣＤコントローラが、モノクロＬＣＤ１８を制御してモノクロＬＣＤ１８に画像を表示する。モノクロＬＣＤ１８は、ＭＰＵ１１のＬＣＤコントローラに制御されて液晶画面に黒白の２階調（１ｂｉｔ／ｐｉｘｅｌ）で各種情報を表示する。ユーザは、モノクロＬＣＤ１８に表示される内容を参考にする等しながら操作パネル１７を操作し、各種の指示を行うことができる。
【００３６】
次に図２を参照して、カラーＬＣＤ３８を本実施形態の複合機１０に接続した場合について説明する。図２は複合機１０にカラーＬＣＤを接続した場合の電気的構成を示したブロック図である。
【００３７】
図１に示すモノクロＬＣＤ仕様を上位グレードのカラーＬＣＤ仕様に変更するには、図１で示した操作パネル１７及びモノクロＬＣＤ１８を省略する。そして図２に示すように、サブシステム（第２の制御部）６０と操作パネル３７及びカラーＬＣＤ（第２の液晶表示器）３８から構成されるユニットを、前記ＵＳＢインタフェース２７にＵＳＢコネクタを介して接続する。
【００３８】
図１と図２の比較で明らかであるように、複合機１０のカラーＬＣＤ仕様は、標準のモノクロＬＣＤ仕様の多くの構成を流用している。これによって、製品開発期間の短縮及びコスト削減が実現されている。
【００３９】
カラーＬＣＤ３８は赤、緑、青の光の強さをそれぞれ２５６段階で表し、それぞれの色を組み合わせることによって種々のカラー表示が可能となるＲＧＢ形式で構成されている。このカラーＬＣＤ３８の表示画面には各種の操作の内容及び指示が文字、図形等によって表示される。
【００４０】
サブシステム６０はＣＰＵ等で構成されるマイクロコンピュータであって、このサブシステム６０がＵＳＢインタフェース２７に接続されている。サブシステム６０はＵＳＢインタフェース２７を介して複合機１０本体側のＭＰＵ１１と通信し、カラーＬＣＤ３８を制御する。このサブシステム６０に操作パネル３７及びカラーＬＣＤ３８が接続されている。本実施形態においては、サブシステム６０とカラーＬＣＤ３８とはパラレル方式で接続されている。
【００４１】
前記操作パネル３７がユーザによって操作されると、サブシステム６０とＭＰＵ１１が通信して操作パネル３７での操作内容データをやりとりし、操作内容に応じて複合機１０を制御する。サブシステム６０、カラーＬＣＤ３８及び操作パネル３７は互いに一体的なユニットとして構成される。本実施形態では、このユニットは、複合機１０の筐体に埋め込まれるように一体化して取り付けられる。
【００４２】
この構成で、サブシステム６０は、当該サブシステム６０のファンクションコントローラ及びＵＳＢインタフェース２７のＵＳＢホストコントローラを介して、本体側のＭＰＵ１１とデータの通信を行う。
【００４３】
なお、図２ではサブシステム６０にカラーＬＣＤ３８を接続した例を示しているが、サブシステム６０にモノクロＬＣＤを接続することも可能である。カラーＬＣＤ３８が接続された場合は、サブシステム６０はカラーＬＣＤ用の表示データ（フォントデータ等）をロードしてカラーＬＣＤ３８に表示し、モノクロＬＣＤが接続された場合は、モノクロＬＣＤ用の表示データをロードしてモノクロＬＣＤに表示する。このようにサブシステム６０は、当該サブシステム６０に接続されたＬＣＤの表示性能を判定して、その表示性能に応じた表示制御を行うように構成されている。
【００４４】
また、サブシステム６０はオプション機能を制御するように構成されている。オプション機能とは、サブシステム６０を複合機１０に装着することによって複合機１０に付加される様々な機能である。このオプション機能として、本実施形態では、複合機１０本体側に記憶されている画像ファイルをカラーＬＣＤ３８にサムネイル画像として表示する機能が採用されている。
【００４５】
このサムネイル表示機能を実現するために、本体側のＵＳＢインタフェース２７のＵＳＢホストコントローラとサブシステム６０のＵＳＢコントローラが通信して、サムネイル画像データのやり取りを行う。また、サムネイル画像データを受信したサブシステム６０は、カラーＬＣＤ３８に表示できるようにするための復号を行うとともに、ＹＣＣ形式からＲＧＢ形式に変換するための演算処理を行ってカラーＬＣＤ３８に表示する。このようにオプション機能についてもサブシステム６０側が制御することで、ＭＰＵ１１への負担を抑えるとともに、ＭＰＵ１１の構成を簡略化でき、コストも削減できる。
【００４６】
前述したように、サブシステム６０はＵＳＢインタフェース２７に接続され、本体側に備えられるＭＰＵ１１とのデータの通信は、高速通信が可能なＵＳＢインタフェース２７によって行われることになる。
【００４７】
ＲＧＢ各２５６階調のカラー表示は、モノクロ２階調表示と比べてデータ量が多く、本体側のＭＰＵ１１単体でカラー制御を行うのは負荷が大きい。しかしながら、本実施形態においてカラー表示の制御はサブシステム６０によって行われるので、ＭＰＵ１１の負荷は殆ど増大しない。またサムネイル画像等のオプション機能等についてもサブシステム６０側が行うように構成されているので、本体側のシステムの負担を軽減することができる。
【００４８】
次に図３を参照して、複合機１０のＬＣＤ表示関連の制御について説明する。図３は本実施形態の複合機１０に接続された液晶表示器の制御を説明するフローチャートである。
【００４９】
図３に示すフローにおいて、複合機１０の電源がＯＮされると（Ｓ１０１）、複合機１０はローカルバス３０に前記操作パネル１７が接続されているか否かを検出する（Ｓ１０２）。
【００５０】
操作パネル１７の接続が検出された場合には、前述したように操作パネル１７と一体化されているモノクロＬＣＤ１８も複合機１０本体に接続されていることになる。従って、この場合、複合機１０はモノクロＬＣＤ１８に対応する表示データを適宜のメモリからロードする（Ｓ１０３）。表示データのロード後、ＭＰＵ１１によってモノクロＬＣＤ１８に表示データが画像となって表示される（Ｓ１０４）。モノクロＬＣＤ１８に表示するデータは１ｂｉｔ／ｐｉｘｅｌの２値データによって表示される。
【００５１】
Ｓ１０２の判断で、ローカルバス３０への操作パネル１７の接続が検出されなかった場合は、ＵＳＢエニュメレーションが行われる（Ｓ１０５）。このＵＳＢエニュメレーションによって、ＵＳＢインタフェース２７に接続されたＵＳＢ機器のアドレスを指定して、ＵＳＢ機器の構成を認識した後、接続されたＵＳＢ機器を稼動状態にする。
【００５２】
次に、ＵＳＢインタフェース２７に接続されているＵＳＢ機器がサブシステム６０であるか否かを判定する（Ｓ１０６）。接続されるＵＳＢ機器がサブシステム６０でなかった場合には、接続されているＵＳＢ機器を検出して（Ｓ１０７）、そのＵＳＢ機器と通信してＵＳＢ機器の機能を実行する（Ｓ１０８）。
【００５３】
Ｓ１０６の判断で、サブシステム６０が検出された場合は、当該サブシステム６０が接続されるＬＣＤがカラーＬＣＤ３８であるか否かを判定する（Ｓ１０９）。
【００５４】
接続されるＬＣＤがカラーＬＣＤ３８である場合、サブシステム６０は、モノクロ表示に関する動作をディセーブルするとともに、カラーＬＣＤ対応表示データのロードを行う（Ｓ１１０、Ｓ１１１）。そして、カラーＬＣＤ３８の液晶画面に、表示すべき内容をカラーで表示する（Ｓ１１２）。
【００５５】
Ｓ１０９の判断で、接続されるＬＣＤがカラーＬＣＤ３８でないと判定された場合（モノクロＬＣＤの場合）は、カラー表示に関する動作をディセーブルするとともに、モノクロＬＣＤ対応表示データのロードを行う（Ｓ１１３、Ｓ１１４）。そして、モノクロＬＣＤの表示画面に、表示すべき内容をモノクロで表示する（Ｓ１１５）。
【００５６】
以上のように、複合機１０の起動時において、ＭＰＵ１１は操作パネル１７が接続されているか否かを判定することによって、標準のモノクロＬＣＤ仕様（図１の仕様）か、それ以外の仕様かを自動的に判別する。そして、標準のモノクロＬＣＤ仕様でない場合は、ＭＰＵ１１はＵＳＢインタフェース２７に接続されるサブシステム６０を検出し、高性能なＬＣＤ（カラーＬＣＤ３８等）への表示処理は当該サブシステム６０に分担させるように構成されている。この構成とすることで、ＭＰＵ１１に関しては標準のモノクロＬＣＤ１８への表示処理に必要な機能だけを有していれば足り、ＭＰＵ１１の構成を簡素化できる。
【００５７】
以上に示すように、本実施形態のコピーファクシミリ複合機１０は、モノクロＬＣＤ１８を制御可能なＭＰＵ１１と、ＭＰＵ１１と通信するためのＵＳＢインタフェース２７を備える。ＭＰＵ１１は、カラーＬＣＤ３８を制御するサブシステム６０がＵＳＢインタフェース２７に接続された場合には、当該ＵＳＢインタフェース２７を介してサブシステム６０と通信する。
【００５８】
この構成により、モノクロＬＣＤ１８と異なるカラーＬＣＤ３８が複合機１０に接続された場合にも、サブシステム６０がＭＰＵ１１と通信してカラーＬＣＤ３８を制御できる。また、サブシステム６０がカラーＬＣＤ３８の制御を行うので、ＭＰＵ１１の負荷を軽減できる。従って、複合機１０の本体側に備えられるＭＰＵ１１の構成を簡略化でき、コストを削減できるとともに、各種のＬＣＤに対応する複合機１０を提供できる。
【００５９】
また、本実施形態の複合機１０は、図２に示すように、サブシステム６０がカラーＬＣＤ３８を制御するように構成されている。
【００６０】
この構成により、データ量の多いカラーＬＣＤ３８に対応することができる。また、カラー表示の複雑な演算をサブシステム６０が受け持つので、ＭＰＵ１１の構成を簡略化できる。
【００６１】
また、本実施形態の複合機１０は、サブシステム６０を接続するインタフェースがＵＳＢインタフェース２７で構成されている。
【００６２】
この構成により、ケーブルを細径化し易いシリアルインタフェースでサブシステム６０が接続されるので複合機１０内の取り回しが行い易く、自由な位置にサブシステム６０（カラーＬＣＤ３８及び操作パネル３７）を配置でき、拡張性の高い構成とすることができる。更に、通信速度が速いシリアルインタフェースを使用するので、ＭＰＵ１１とサブスシステムとの間で扱うデータ量が多い場合でも、データの内容をスムーズにカラーＬＣＤ３８に表示できる。
【００６３】
本実施形態の複合機１０は、ＭＰＵ１１が、サブシステム６０に接続される操作パネル３７の操作内容をサブシステム６０と通信して取得可能に構成されている。
【００６４】
この構成により、カラーＬＣＤ３８とともに操作パネル３７を追加する場合でも、ＭＰＵ１１が当該操作内容を認識して、それに応じた処理を適切に行うことができる。従って、操作パネルの変更を伴う製品ラインナップにも容易に対応することができる。
【００６５】
以上に本発明の好適な実施形態を説明したが、上記の構成は更に以下のように変更することができる。
【００６６】
上記実施形態のモノクロＬＣＤ１８及びカラーＬＣＤ３８をタッチパネル形式とし、ＬＣＤが操作部を兼ねる構成とすることもできる。この構成によっても、複合機のユーザインタフェースに関する部分を１つのユニットとして構成でき、複合機１０を簡素化することができる。
【００６７】
サブシステム６０側のユニットから操作パネル３７を省略し、カラーＬＣＤ仕様でも標準の操作パネル１７を流用して用いるように変更することができる。
【００６８】
上記実施形態のカラーＬＣＤ仕様（図２）では、サブシステム６０、カラーＬＣＤ３８及び操作パネル３７が複合機１０の筐体に埋め込まれるように取り付けられている。しかしながら、このようなビルトイン構成に代えて、サブシステム６０、カラーＬＣＤ３８及び操作パネル３７が一体化されたモジュールユニットが、例えば複合機１０の筐体の上方にアーム部材によって支持されるように構成することができる。この場合、アーム部材が回動部を備えることによってユーザが自在に位置を変位させる構成にする等、構成の拡張性が高まる。本実施形態のサブシステム６０はＵＳＢインタフェース２７で接続されているので、上記のようにユニットが外部に配置される構成であっても、ＵＳＢケーブルを簡単に引き出して本体側と接続することができる。
【００６９】
サブシステム６０と本体側との通信は、ＵＳＢインタフェース２７に代えて、例えばＩＥＥＥ１３９４等のシリアルインタフェースによって行うように変更することができる。また、サブシステム６０を、シリアルインタフェースでなくパラレルインタフェースによって本体側に接続するように変更することができる。
【００７０】
上記実施形態の構成は、コピーファクシミリ複合機１０に限らず、例えばコピー機能等を単独で備えるコピー装置、ファクシミリ装置、イメージスキャナ装置等にも適用できる。また、液晶表示器を備える各種画像処理装置及び電子機器に対しても幅広く適用することができる。
【図面の簡単な説明】
【００７１】
【図１】本発明の一実施形態に係るコピーファクシミリ複合機において、標準のモノクロＬＣＤ仕様とした場合の電気的構成を示すブロック図。
【図２】コピーファクシミリ複合機をカラーＬＣＤ仕様とした場合の電気的構成を示すブロック図。
【図３】複合機におけるＬＣＤ表示の制御を示すフローチャート。
【符号の説明】
【００７２】
１０  コピーファクシミリ複合機（電子機器、画像処理装置）
１１  ＭＰＵ（第１の制御部）
１２  ＳＤＲＡＭ
１３  フラッシュメモリ
１４  ＳＲＡＭ
１７  操作パネル
１８  モノクロＬＣＤ（第１の液晶表示器、モノクロ液晶表示器）
１９  プリンタコントローラ
２０  ネットワークボード
２１  メモリコントロール部
２２  画像処理部
２３  コーデック
２７  ＵＳＢインタフェース（シリアルインタフェース）
３７  操作パネル
３８  カラーＬＣＤ（第２の液晶表示器）
６０  サブシステム（第２の制御部）
【図１】
2009116178.tif 000003
【図２】
2009116178.tif 000004
【図３】
2009116178.tif 000005